(57)【要約】【課題】  搭載されたＩＣカードの動作温度を十分に満たすようにＩＣカードを冷却することができる電子装置を提供する。【解決手段】  ディジタルテレビ用の第１ディジタルテレビ用基板６３に設けられ、Ｂ−ＣＡＳカード２が挿入されるカードスロット３３と、第１ディジタルテレビ用基板６３に設けられたディジタルテレビ用の電子部品９０と、カードスロット３３に空気の流れをつくる第１ファン８１と、電子部品９０に空気の流れをつくる第２ファン８２とを有する構成としている。【選択図】        図８
2009100384.tif 000002
【特許請求の範囲】
【請求項１】
ディジタルテレビ用の制御基板に設けられたＩＣカードが挿入されるカードスロットと、
前記ディジタルテレビ用の制御基板に設けられたディジタルテレビ用の電子部品と、
前記カードスロットに空気の流れをつくる第１冷却装置と、
前記電子部品に空気の流れをつくる第２冷却装置とを有することを特徴とする電子装置。
【請求項２】
前記カードスロットは、ディジタルテレビの放送番組を視聴する際に必要となる暗号情報を格納したＩＣカードが挿入されることを特徴とする請求項１記載の電子装置。
【請求項３】
前記電子装置は、車両に搭載されることを特徴とする請求項１又は２記載の電子装置。
【発明の詳細な説明】
【技術分野】
【０００１】
本発明は、ディジタルテレビの受信機能を備えた電子装置に関する。
【背景技術】
【０００２】
現行の地上アナログテレビジョン放送は、２０１１年の放送終了予定であり、その後は、地上デジタル放送へと移行する。
地上デジタル放送では、動画データ、音声データにコピー制御信号（ＣＣＩ（Copy Control Information）を加えた上で暗号化して送信される。視聴する際は、Ｂ−ＣＡＳ（BS-Conditional Access Systems）（登録商標）カードと呼ばれるＩＣカードに格納されている暗号鍵を用いて復号する必要がある。Ｂ−ＣＡＳカードのＩＣチップ内部には、カード毎に固有のＩＤ番号と暗号鍵が格納されている。 
【０００３】
ところで、このＢ−ＣＡＳカードは、固定受信用に規定されたＩＣカードの規定で作成されており、高温になると正常に稼働しなくなる構造である。このため、例えば車両に搭載された電子装置内に挿入する場合には、動作温度を満たすために十分な温度対策が必要となる。
【０００４】
特許文献１では、受信機本体であって、ＩＣカード用のソケットと、ＨＤＤユニットとが一体に組み込まれた着脱ユニットの装着位置に冷却ファンを設けている。
また、冷却用ファンがつくりだす空流によってカードソケットに挿入されたＩＣカードだけでなく、受信機本体内に設けられた電子部品をも冷却する構造となっている。
【０００５】
【特許文献１】特開２００６−１９１４３１号公報
【発明の開示】
【発明が解決しようとする課題】
【０００６】
しかしながら特許文献１の開示では、冷却ファンがつくる、受信機本体内に設けられた電子部品を冷却する空気の流路上にカードソケットを設ける構成である。このため、特に発熱する電子部品によって熱せられた空気によってカードソケット内のＩＣカードが熱せられて高温になると、Ｂ−ＣＡＳカード等のＩＣカードが正常に稼働しなくなり、故障してしまうという問題がある。このため、熱対策なくして車載機器に組み込むことができなかった。
【０００７】
本発明は上記事情に鑑みてなされたものであり、搭載されたＩＣカードの動作温度を十分に満たすようにＩＣカードを冷却することができる電子装置を提供することを目的とする。
【課題を解決するための手段】
【０００８】
かかる目的を達成するために本発明の電子装置は、ディジタルテレビ用の制御基板に設けられたＩＣカードが挿入されるカードスロットと、前記ディジタルテレビ用の制御基板に設けられたディジタルテレビ用の電子部品と、前記カードスロットに空気の流れをつくる第１冷却装置と、前記電子部品に空気の流れをつくる第２冷却装置とを有する構成としている。
このように本発明は、第１冷却装置のつくる空気の流れによってカードスロットを冷却すると共に、第２冷却装置によって電子部品に空気の流れをつくっている。従って、カードスロット内に挿入されたＩＣカードを冷却して、ＩＣカードを動作可能温度内で維持させることができる。
【０００９】
上記電子装置において、前記カードスロットは、ディジタルテレビの放送番組を視聴する際に必要となる暗号情報を格納したＩＣカードが挿入される。
従って、ディジタルテレビの視聴ができない等の不具合の発生を低減することができる。
【００１０】
上記電子装置において、前記電子装置は、車両に搭載される。
【発明の効果】
【００１１】
本発明によれば、搭載されたＩＣカードの動作温度を十分に満たすようにＩＣカードを冷却することができる。
【発明を実施するための最良の形態】
【００１２】
以下、添付図面を参照しながら本発明の好適な実施例を説明する。
【実施例】
【００１３】
まず、図１を参照しながら本実施例のシステム構成を説明する。
図１には、本発明をＤＴＶ受信機を備えたナビゲーション装置１に搭載した実施例の構成を示す。
アンテナ１０は、ディジタルテレビジョン放送の放送電波を受信し、電気信号である放送信号に変換する。チューナ２１は、放送信号に所定の処理を施して、復調部及びＦＥＣ部２２にこれを出力する。復調部及びＦＥＣ部２２は、チューナ２１から取得した信号に復調及び誤り訂正処理を行い、ＴＳ（Ｔｒａｎｓｐｏｒｔ Ｓｔｒｅａｍ）デコード部２３に出力する。ＴＳデコード部２３は、音声データや映像データ及び番組情報等が多重化されている放送信号から、各データを分離する。デスクランブラ２４は、カードスロット３３にＩＣカード（本実施例では、Ｂ−ＣＡＳカード２）が挿入されている場合には、ＣＰＵ３２の制御に従って、復調された放送信号に付加されている不正視聴防止用のスクランブル信号を解除する。音声信号処理部２５は、デジタル圧縮された音声データをデコードし、アナログ信号に変換してスピーカ１２に出力する。映像信号処理部２６は、デジタル圧縮された映像データをデコードし、ＲＢＧ信号に変換して表示処理部２７に出力する。表示処理部２７は、ディスプレイ１３にＲＧＢ信号を表示させる。
【００１４】
また、ＧＰＳ情報受信部２８は、ＧＰＳアンテナ１１を介して衛星からのＧＰＳ信号を受信し、受信したＧＰＳ信号をナビゲーション部２９に出力する。
ナビゲーション部２９は、ＧＰＳ信号に基づいてナビゲーション装置１を積載した車両の位置を割り出す。また、ナビゲーション部２９は、ハードディスク装置等の記憶媒体（不図示）に記憶された地図情報を読み出して、ナビゲーション動作のための画像（目的地までの地図と誘導経路とが表示された画像）を作成する。作成した画像は、表示処理部２７の処理でディスプレイ１３に表示させる。
【００１５】
ＣＰＵ３２は、ＲＯＭ３１に格納されたプログラムを読み出し、このプログラムに従って処理ユニット２０の全体を制御する。また、ＲＡＭ３０には、ＣＰＵ３２が演算で使用するデータ等が格納される。
【００１６】
図２は、ナビゲーション装置１の車両への搭載例を示す。ナビゲーション装置１は、例えば図２に示すように、運転席５２と助手席５１とのほぼ中央のダッシュボード部分に配置される。なお、図示していないが、ＧＰＳ情報受信部２８のＧＰＳアンテナ１１は、ダッシュボード上、フロントガラスの車室内側等のＧＰＳ衛星（ＮＡＶＳＴＥＲ衛星）から送信される電波を受信し易い位置に貼り付けられる。
【００１７】
図３（Ａ）に、ナビゲーション装置１の外観形状を示し、図３（Ｂ）に、ナビゲーション装置１の前面に設けたディスプレイ１３をチルトした状態を示す。
内部に制御用の基板等を納めた筐体１００の前面部には、ディスプレイ１３が設けられている。ユーザのボタン操作等によってディスプレイ１３をチルトさせると、図３（Ｂ）に示すようにＢ−ＣＡＳカード２の挿入口と、ＣＤ、ＤＶＤの挿入口５３とが外部に露出する。筐体１００の前面にＢ−ＣＡＳカード２の挿入口を設けたことで、カードスロット３３へのＢ−ＣＡＳカード２の挿入が容易になる。なお、図３（Ｂ）には、Ｂ−ＣＡＳカード２の挿入口を蓋５４で閉じた状態を示す。蓋５４を設けることにより、Ｂ−ＣＡＳカード２がカードスロット３３から外れて、紛失するといった不具合の発生を低減させることができる。
【００１８】
図４には、筐体１００の前面部の構成を示す。Ｂ−ＣＡＳカード２の挿入口を閉じている蓋５４を取り外すと、図４に示すようにＢ−ＣＡＳカード２の挿入口５５と、ＳＤカード、ＳｍａｒｔＭｅｄｉａ（登録商標）等の記録媒体の挿入口５６とが外部に露出する。記録媒体には、ディジタルテレビのバージョンアップ用のソフトウェア等が記録されている。
また、筐体１００の前面部には、筐体内の基板とディスプレイ１３とを接続するための開口５７と、外気をナビゲーション装置１の本体内に取り込むための導入口５８とが設けられている。筐体内の基板とディスプレイ１３とはフレキシブルプリント基板（不図示）によって接続される。
【００１９】
筐体１００の内部には、図５に示すように複数の基板、ホルダ、ヒートシンク、ＤＶＤデッキ、ハードディスク装置等が積層されている。図５に示す積層構造の一例では、上から上板６１、ＤＶＤデッキ６２、チューナ２１やカードスロット３３等を搭載した第１ディジタルテレビ用基板６３、ホルダ６４、ディジタルテレビ用の映像処理回路を搭載した第２ディジタルテレビ用基板６５、ヒートシンク６６、ホルダ６７、オーディオ基板６８、ハードディスク装置６９、ホルダ７０、ラジオのＡＭ、ＦＭチューナ、ＦＭのＶＩＣＳチューナ等が搭載された基板７１、底板７２の順に積層されている。
第２ディジタルテレビ用基板６５とホルダ６７との間に配置されたヒートシンク６６は、第２ディジタルテレビ用基板６５からの熱がオーディオ基板６８側に伝わらないように、また、オーディオ基板６８からの熱が第２ディジタルテレビ用基板６５側に伝わらないようにするための放熱板である。ヒートシンク６６に伝わった熱を後述するファンによって機外に排出する。
さらに本実施例では、装置内の熱対策として、装置内での空気の対流がよくなるように、可能な限り基板間の距離を離している。また、空気の対流により下のオーディオ基板６８等から発生する熱が第１ディジタルテレビ用基板６３に伝わらないようにシャットアウトしている。さらに熱を発するＩＣがＢ−ＣＡＳカード２の下側に位置しないように、できるだけＢ−ＣＡＳカード２から離れるように配置している。
【００２０】
図６には、第１ディジタルテレビ用基板６３の上面図を示す。この第１ディジタルテレビ用基板６３には、Ｂ−ＣＡＳカード２用のカードスロット３３と、ディジタルテレビ用のチューナ２１と、ディジタルテレビ用の電子部品９０とが配置されている。
カードスロット３３は、第１ディジタルテレビ用基板６３の左側に配置され、チューナ２１及び電子部品９０は第１ディジタルテレビ用基板６３の右側に配置されている。すなわち、カードスロット３３と、チューナ２１及び電子部品９０とが第１ディジタルテレビ用基板６３上で左右に区分けされて配置されている。
また、カードスロット３３を設けた第１ディジタルテレビ用基板６３の左側には、第１ファン（本発明の第１冷却装置に相当する）８１が設けられ、チューナ２１及び電子部品９０を設けた第１ディジタルテレビ用基板６３の右側には、第２ファン（本発明の第２冷却装置に相当する）８２が設けられている（図９に示すナビゲーション装置１本体の筐体背面部の構成も参照のこと）。
【００２１】
本実施例は、カードスロット３３に挿入したＢ−ＣＡＳカード２がチューナ２１及び電子部品９０から発する熱の影響を受けないように、２つのファンを設けている。第１ファン８１は、Ｂ−ＣＡＳカード２の冷却用に用い、第２ファン８２は、チューナ２１及び電子部品９０の発する熱を機外に排出するために用いる。
図７は、ナビゲーション装置１の分解斜視図であり、装置内の空気の流れを示している。また、図８は第１ディジタルテレビ用基板６３に設けたカードスロット３３及びチューナ２１と、第１ファン８１及び第２ファン８２との配置を示す図である。
図７に示すように、第１ファン８１によって筐体前面の開口５７や導入口５８から機内に吸入された空気は、カードスロット３３を冷却して第１ファン８１から機外に排気される。
また、チューナ２１や電子部品９０から発する熱は、図８に示すように第２ファン８２によって機外に排気される。
このような構成により、Ｂ−ＣＡＳカード２が挿入されるカードスロット３３の近傍であって、第１ディジタルテレビ用基板６３上に設けられた電子部品９０からの発熱を効率よく第２ファン８２により冷却することができる。このため、電子部品９０からの発熱によりＢ−ＣＡＳカード２の温度が上昇することを効果的に防止することができる。
また、第１ファン８１によりＢ−ＣＡＳカード２が挿入されるカードスロット３３を中心とした空気の流れをつくることで、電子部品９０等からの発熱を冷却とは別の空気の流れでＢ−ＣＡＳカード２を冷却することができる。すなわち、Ｂ−ＣＡＳカード２が電子部品９０等の発熱源の影響を受け難い効果的な冷却が可能となる。
【００２２】
図９には、ナビゲーション装置１の筐体背面部の構成を示す。
図９に示すように筐体背面部には、前述した第１ファン８１、第２ファン８２、デジタルテレビ用コネタク８３や各種コネクタが設けられている。
【００２３】
上述した実施例は本発明の好適な実施例である。但し、これに限定されるものではなく、本発明の要旨を逸脱しない範囲内において種々変形実施可能である。
例えば、上述した実施例では、Ｂ−ＣＡＳカード２を例に挙げて説明したが、ＩＣチップを搭載した記録媒体であれば本発明の適用範囲内である。
また、上述した実施例では、ナビゲーション装置を例に説明したが、ディジタルテレビ装置単独の構成であってもよい。
【図面の簡単な説明】
【００２４】
【図１】ナビゲーション装置のシステム構成を示すブロック図である。
【図２】ナビゲーション装置の車両での搭載位置の一例を示す図である。
【図３】（Ａ）はナビゲーション装置の外観形状を示し、（Ｂ）はナビゲーション装置の前面に設けたディスプレイをチルトした状態を示す図である。
【図４】ナビゲーション装置の筐体前面部を示す図である。
【図５】ナビゲーション装置内の基板の積層構造を示す図である。
【図６】第１ディジタルテレビ用基板の上面図である。
【図７】ナビゲーション装置の分解斜視図であり、装置内の空気の流れを示す図である。
【図８】第１ディジタルテレビ用基板に設けたカードスロット及びチューナと、第１ファン及び第２ファンとの配置を示す図である。
【図９】ナビゲーション装置の筐体背面部の構成を示す図である。
【符号の説明】
【００２５】
１  ナビゲーション装置            ２  Ｂ−ＣＡＳカード
１０  アンテナ                    １１  ＧＰＳアンテナ
１２  スピーカ                    １３  ディスプレイ
２０  処理ユニット                ２１  チューナ
２２  復調部及びＦＥＣ部          ２３  ＴＳデコーダ
２４  デスクランブル部            ２５  音声信号処理部
２６  映像信号処理部              ２７  表示処理部
２８  ＧＰＳ情報受信部            ２９  ナビゲーション部
３０  ＲＡＭ                      ３１  ＲＯＭ
３２  ＣＰＵ                      ３３  カードスロット
６３  第１ディジタルテレビ用基板  ６５  第２ディジタルテレビ用基板
８１  第１ファン（第１冷却装置）  ８２  第２ファン（第２冷却装置）
【図１】
2009100384.tif 000003
【図２】
2009100384.tif 000004
【図３】
2009100384.tif 000005
【図４】
2009100384.tif 000006
【図５】
2009100384.tif 000007
【図６】
2009100384.tif 000008
【図７】
2009100384.tif 000009
【図８】
2009100384.tif 000010
【図９】
2009100384.tif 000011